(57)【要約】【課題】冷却対象の冷却効率を向上できるプロジェクターを提供すること。【解決手段】冷却装置は、第１冷却ファン及び第２冷却ファンと、第１冷却ファンから吐出された冷却空気Ａ１を第１の方向に流通させた後、第１の方向に対して交差する第２の方向に流通させて冷却対象の配設位置まで導く第１ダクト部５１１と、第１ダクト部５１１に並行して形成され、第２冷却ファンから吐出された冷却空気Ａ２を流通させ他の冷却対象の配設位置まで導く第２ダクト部５１２とを備え、第１ダクト部５１１及び第２ダクト部５１２のいずれか一方には、一方のダクトを流通する冷却空気の一部を他方のダクトに流通する冷却空気に合流させる整流板１６，１７が形成されている。【選択図】図４
2010262151.tif 000002
【特許請求の範囲】
【請求項１】
冷却対象に対して冷却空気を送風する冷却装置を備えたプロジェクターであって、
前記冷却装置は、
冷却空気を吸入する第１冷却ファン及び第２冷却ファンと、
前記第１冷却ファンから吐出された冷却空気を第１の方向に流通させた後、前記第１の方向に対して交差する第２の方向に流通させて前記冷却対象の配設位置まで導く第１ダクトと、
前記第１ダクトに並行して形成され、前記第２冷却ファンから吐出された冷却空気を流通させ他の冷却対象の配設位置まで導く第２ダクトとを備え、
前記第１ダクト及び前記第２ダクトのいずれか一方には、
前記一方のダクトを流通する冷却空気の一部を他方のダクトに流通する冷却空気に合流させる合流部が形成されている
ことを特徴とするプロジェクター。
【請求項２】
請求項１に記載のプロジェクターにおいて、
前記合流部における前記一方のダクトを流通する冷却空気と、前記他方のダクトを流通する冷却空気が合流する角度は、９０度未満に設定されている
ことを特徴とするプロジェクター。
【請求項３】
請求項１または請求項２に記載のプロジェクターにおいて、
前記合流部は、前記冷却空気が前記第２の方向に流通したときに合流させるように形成されている
ことを特徴とするプロジェクター。
【発明の詳細な説明】
【技術分野】
【０００１】
本発明は、プロジェクターに関する。
【背景技術】
【０００２】
従来、外部から冷却空気を吸入して吐出する冷却ファンと、当該冷却ファンに接続されて冷却対象に冷却空気を送風するダクトとを備えるプロジェクターがある（例えば、特許文献１参照）。
特許文献１に記載のダクトは、平面視略Ｌ字状の第１ダクト及び第２ダクトを備え、各ダクトの一端側には、一対の冷却ファンがそれぞれ配置されている。そして、第１ダクトは、冷却対象である緑色光側の光変調装置に向けて冷却空気を送風し、第２ダクトは、赤色光側及び青色光側の光変調装置に向けて冷却空気を送風している。
【先行技術文献】
【特許文献】
【０００３】
【特許文献１】特開２００５−３３８２３６号公報
【発明の概要】
【発明が解決しようとする課題】
【０００４】
ここで、一般的には、これらの光変調装置のうち、緑色光側の光変調装置が最も高温化しやすいため、緑色光側の光変調装置に対して、赤、青色光側の光変調装置よりも冷却空気を多く送風する必要がある。
しかしながら、特許文献１に記載のプロジェクターでは、緑色光側の光変調装置が高温化しやすいため、緑色光側の光変調装置を冷却する冷却ファン（以下、第１冷却ファン）は、赤、青色光側の光変調装置を冷却する冷却ファン（以下、第２冷却ファン）よりも負荷のかかる状態となっている。そのため、第１冷却ファンに負荷をかけず、緑色光側の光変調装置を良好に冷却するには、第１冷却ファンを第２冷却ファンよりも大きいものを用いなければならない。そこで、第１冷却ファンを大型化させることなく、第２冷却ファンと同一構造、または第２冷却ファンよりも小型のものを用いた場合であっても、緑色光側の光変調装置（冷却対象）の冷却効率を向上することが望まれている。
【０００５】
本発明の目的は、冷却対象の冷却効率を向上できるプロジェクターを提供することにある。
【課題を解決するための手段】
【０００６】
本発明のプロジェクターは、冷却対象に対して冷却空気を送風する冷却装置を備えたプロジェクターであって、前記冷却装置は、冷却空気を吸入する第１冷却ファン及び第２冷却ファンと、前記第１冷却ファンから吐出された冷却空気を第１の方向に流通させた後、前記第１の方向に対して交差する第２の方向に流通させて前記冷却対象の配設位置まで導く第１ダクトと、前記第１ダクトに並行して形成され、前記第２冷却ファンから吐出された冷却空気を流通させ他の冷却対象の配設位置まで導く第２ダクトとを備え、前記第１ダクト及び前記第２ダクトのいずれか一方には、前記一方のダクトを流通する冷却空気の一部を他方のダクトに流通する冷却空気に合流させる合流部が形成されていることを特徴とする。
【０００７】
ここで、冷却対象として、複数の光変調装置がある。
本発明では、例えば、複数の光変調装置のうち、いずれか一つの光変調装置に対して冷却空気を吐出する第１ダクトと、他の光変調装置に冷却空気を吐出する第２ダクトとを備えている。そして、いずれか一方のダクトから吐出される冷却空気の一部は、合流部を介して、他方の流路を流通する冷却空気に合流する。これによれば、一方の流路を流通する冷却空気の一部を有効利用することで、複数の光変調装置を冷却する冷却空気の流量をそれぞれの光変調装置の発熱量に応じて配分することができる。従って、複数の光変調装置を良好に冷却でき、冷却対象の冷却効率を向上できる。
【０００８】
本発明のプロジェクターでは、前記合流部における前記一方のダクトを流通する冷却空気と、前記他方のダクトを流通する冷却空気が合流する角度は、９０度未満に設定されていることが好ましい。
本発明では、合流する冷却空気が９０度未満で交差するように設定されているので、各冷却空気の圧力損失による流量の減少を防止しながら、冷却空気を合流させることができる。従って、冷却対象を良好に冷却できる。
【０００９】
本発明のプロジェクターでは、前記合流部は、前記冷却空気が前記第２の方向に流通したときに合流させるように形成されていることが好ましい。
本発明では、合流部が、冷却空気が第２の方向に流通したときに合流させるように形成されているので、第１の方向に流通しているときに合流させる場合と比較して冷却流路の構成を簡易にすることができる。従って、空気の圧力損失による流量の減少を防止できるので、冷却対象を良好に冷却できる。
【図面の簡単な説明】
【００１０】
【図１】本発明の一実施形態に係るプロジェクターの概略構成を模式的に示す図。
【図２】前記実施形態における冷却装置、光学装置、及び偏光変換素子等を模式的に示す斜視図。
【図３】前記実施形態におけるダクトを前方上方側から見た斜視図。
【図４】前記実施形態におけるダクトの前方下方側から見た斜視図。
【図５】前記実施形態におけるダクトの底面図。
【図６】図２でのＶＩ−ＶＩ線断面図。
【発明を実施するための形態】
【００１１】
以下、本発明に係る一実施形態を図面に基づいて説明する。
［プロジェクターの構成］
図１は、プロジェクター１の概略構成を模式的に示す図である。
なお、以下では、プロジェクター１において投射側（投射レンズ３が配置された側）を「前面」とし、その反対側を「背面」とする。また、図１における図面視手前側を天面側、奥側を底面側とする。また、以下で記載する「左」、「右」は、プロジェクター１を天面が上側となるようにして、前面から見た時の左右に相当するものである。
プロジェクター１は、画像情報に応じた画像を形成してスクリーン（図示略）上に投射する。このプロジェクター１は、図１に示すように、略直方体状の外装筐体２と、投射レンズ３と、光学ユニット４と、プロジェクター１内部の各構成部材を冷却する冷却装置５と、具体的な図示を省略したが、プロジェクター１内部の各構成部材を制御する制御装置等とを備える。
【００１２】
外装筐体２は、全体略直方体形状を有し、本実施形態では合成樹脂により形成されている。この外装筐体２は、プロジェクター１の天面、前面、背面、及び側面をそれぞれ構成するアッパーケース、及びプロジェクター１の底面、前面、背面、及び側面をそれぞれ構成するロアーケース等で構成される。そして、各ケースは、互いにねじ等で固定されている。なお、外装筐体２は、合成樹脂等に限らず、その他の材料にて形成してもよく、例えば、金属等により構成してもよい。
投射レンズ３は、複数のレンズを組み合わせた組レンズとして構成され、光学ユニット４にて形成された画像光をスクリーン上に拡大投射する。
【００１３】
光学ユニット４は、前記制御装置による制御の下、光源から射出された光束を光学的に処理して画像情報に対応した画像光を形成する。この光学ユニット４は、図１に示すように、光源装置４１と、照明光学装置４２と、色分離光学装置４３と、リレー光学装置４４と、光学装置４５と、光源装置４１から射出された光束の照明光軸Ａが内部に設定された照明光軸Ａに対する所定位置に上述の各光学部品４１〜４５を収納する光学部品用筐体４６とを備える。
【００１４】
光源装置４１は、図１に示すように、光源４１１及びリフレクター４１２等を備える。そして、光源装置４１は、光源４１１から射出された光束がリフレクター４１２によって射出方向が揃えられ、照明光学装置４２に向けて光束を射出する。
【００１５】
照明光学装置４２は、図１に示すように、第１レンズアレイ４２１、第２レンズアレイ４２２、偏光変換素子４２３、及び重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する液晶パネル４５１上で重畳する。
【００１６】
色分離光学装置４３は、図１に示すように、２枚のダイクロイックミラー４３１，４３２、及び反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、及び反射ミラー４４２，４４４を備え、色分離光学装置４３で分離された色光、例えば、赤色光を光学装置４５の後述する赤色光側の液晶パネル４５１Ｒまで導く機能を有する。
【００１７】
光学装置４５は、入射した光束を画像情報に応じて変調して画像光を形成する。この光学装置４５は、図１に示すように、３つの液晶パネル４５１（赤色光側の液晶パネルを４５１Ｒ、緑色光側の液晶パネルを４５１Ｇ、青色光側の液晶パネルを４５１Ｂとする）と、各液晶パネル４５１の光路前段側に配置される入射側偏光板４５２と、各液晶パネル４５１の光路後段側に配置される２枚の射出側偏光板４５３と、クロスダイクロイックプリズム４５４とを備える。
【００１８】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの射出側偏光板４５３は、入射側偏光板４５２と略同様の機能を有し、液晶パネル４５１を介して射出された光束のうち、一定方向の偏光光を透過し、その他の光束を吸収する。
【００１９】
クロスダイクロイックプリズム４５４は、射出側偏光板４５３から射出された色光毎に変調された各色光を合成してカラー画像を形成する。このクロスダイクロイックプリズム４５４は、４つの直角プリズムを貼り合わせた平面視略正方形状をなし、直角プリズム同士を貼り合わせた界面には、２つの誘電体多層膜が形成されている。これら誘電体多層膜は、液晶パネル４５１Ｇから射出され射出側偏光板４５３を介した色光を透過し、液晶パネル４５１Ｒ，４５１Ｂから射出され各射出側偏光板４５３を介した各色光を反射する。このようにして、各色光が合成されて画像光が形成される。
【００２０】
［冷却装置の構成］
図２は、本実施形態の要部を示す斜視図であり、具体的には、冷却装置５に光学装置４５、及び偏光変換素子４２３等が配置された状態を背面側から見た斜視図である。
冷却装置５は、液晶パネル４５１、入射側偏光板４５２、射出側偏光板４５３、及び偏光変換素子４２３に対して冷却空気を送風するものであり、図２に示すように、ダクト５１と、第１冷却ファン５２と、第２冷却ファン５３とを備えている。
【００２１】
［ダクトの構成］
図３は、ダクト５１の斜視図であり、具体的には、ダクト５１を前面上方側から見た斜視図である。図３中の矢印は、冷却空気の流れ方向を示している。
図４は、ダクト５１の斜視図であり、具体的には、ダクト５１を前面下方側から見た斜視図である。
図５は、ダクト５１の底面図である。
図６は、図２のＶＩ−ＶＩ線断面図である。
ダクト５１は、図５に示すように、平面視略Ｌ字状に形成された第１ダクトとしての第１ダクト部５１１と、第１ダクト部５１１のＬ字部分の内側に対して配置される平面視略Ｌ字状の第２ダクトとしての第２ダクト部５１２とを備え、これらは一体形成されている。これら各ダクト部５１１，５１２は、図６に示すように、底面側が開口した容器形状を有し、開口部分が図示しない外装筐体２の底面部にて閉塞されるように当該底面部に取り付けられる。
なお、各ダクト部５１１，５１２の詳細な構成については後述する。
【００２２】
［冷却ファンの構成］
第１、第２冷却ファン５２，５３は、図１に示すように、投射レンズ３の右側面側に配設され、図２、３に示すように、シロッコファンで構成される。本実施形態では、第１、第２冷却ファン５２，５３は、同一構造を有している。また、第１、第２冷却ファン５２，５３は、図２に示すように、空気を吸入する吸入口５２１，５３１と、空気を吐出する吐出口５２２，５３２とを備えている。そして、図２に示すように、第１冷却ファン５２の吐出口５２２は、第１ダクト部５１１の一端側に接続され、第２冷却ファン５３の吐出口５３２は、第２ダクト部５１２の一端側に接続される。
外装筺体１の側面には、図１に示すように、吸気口６が備えられており、第１、第２冷却ファン５２，５３の各吸入口５２１，５３１（図２参照）は、吸気口６に対向するように配置されている。そして、吸気口６からプロジェクター１の外部の空気が、第１、第２冷却ファン５２，５３の吸入口５２１，５３１（図２参照）に吸入される。
【００２３】
第１冷却ファン５２は、図２に示すように、吸気口６（図１参照）から外部の空気を吸入し、冷却対象である緑色光側の液晶パネル４５１Ｇ、入射側偏光板４５２、射出側偏光板４５３、及び偏光変換素子４２３に対して第１ダクト部５１１を介して吐出する。
第２冷却ファン５３も同様に、図２に示すように、吸気口６（図１参照）から外部の空気を吸入し、冷却対象である赤、青色光側の液晶パネル４５１Ｒ，４５１Ｂ、入射側偏光板４５２、及び射出側偏光板４５３に対して第２ダクト部５１２を介して吐出する。
【００２４】
［第１ダクト部の構成］
第１ダクト部５１１は、図３に示すように、一端側から背面側へ延出した後、当該延出方向と略直交する方向に曲げられて、背面に沿って延出している。
第１ダクト部５１１は、図４、５に示すように、後述する整流板１１で第１流路５１１１と、第２流路５１１２とに分岐されている。この際、第１流路５１１１の内径は、第２流路５１１２の内径より小さく形成され、第１流路５１１１を辿る冷却空気Ａ１１の流量は、第２流路５１１２を辿る冷却空気Ａ１２の流量よりも少なくなるように設定されている。
整流板１１は、図４、５に示すように、第１ダクト部５１１の屈曲部分の上流側から長手方向に沿って延出するように形成され、第１ダクト部５１１の内面に沿って配設されている。そして、整流板１１は、図５に示すように、第１冷却ファン５２から吐出される冷却空気Ａ１を冷却空気Ａ１１及び冷却空気Ａ１２に分流することで、冷却空気Ａ１１を第１ダクト部５１１の内面で生じる圧力損失を低減させて、冷却空気Ａ１１の流量及び流速の減少を防止している。
第１ダクト部５１１の長手方向に沿って延出している途中の天面側には、図３に示すように、前後方向に沿って並設されて構成される緑側冷却用流出口５１１Ａが形成されている。また、第１ダクト部５１１の他端側の天面側には、流出口５１１Ｂが形成されている。
ここで、第１ダクト部５１１の第１流路５１１１は、図４、５に示すように、後述する第２ダクト部５１２の第１流路５１２１と合流する。
【００２５】
緑側冷却用流出口５１１Ａは、図３ないし図５に示すように、前面側から第１流出口５１１Ａ１と、第２流出口５１１Ａ２とを備えている。
第１、第２流出口５１１Ａ１，５１１Ａ２の底面側における端縁部分は、図４に示すように、曲面となっており、冷却空気Ａ１の圧力損失を低減している。
【００２６】
第１流出口５１１Ａ１は、図３ないし図５に示すように、矩形状に形成されて、第１流路５１１１に形成されている。また、第１流出口５１１Ａ１には、図３、４に示すように、空気の流れ方向の下流側に整流板１２が配設されている。
整流板１２は、図３、４に示すように、天面側及び底面側に突出している。そして、整流板１２は、図４に示すように、底面側に突出して、第１流路５１１１を閉塞するようになっている。
そして、合流した冷却空気Ａ１１，Ａ２１（図５参照）は、整流板１２に当たって、液晶パネル４５１Ｇの光射出面に上方向に沿って流出する（図３中の矢印Ｇ１）。
【００２７】
第２流出口５１１Ａ２は、図３ないし図５に示すように、矩形状に形成され、第１流出口５１１Ａ１の開口面積よりも大きく形成されている。また、第２流出口５１１Ａ２は、図４、５に示すように、第２流路５１１２に形成され、第２流出口５１１Ａ２には、図３、４に示すように、空気の流れ方向の下流側に整流板１３が配設されている。
整流板１３は、図３、４に示すように、整流板１２と同様に、天面側及び底面側に突出している。そして、整流板１３は、図４に示すように、底面側に突出することで、第２流路５１１２の流路を約半分、塞ぐようになっている。これにより、第２流路５１１２を辿る冷却空気Ａ１２（図５参照）の一部を、空気流れ方向の下流側に位置する偏光変換素子４２３へ導くようにしている。
そして、第２流路５１１２を辿る冷却空気Ａ１２（図５参照）の一部が、整流板１３に当たって、緑色光側の液晶パネル４５１Ｇの光入射面に上方向に沿って流出する（図３中の矢印Ｇ２）。
【００２８】
流出口５１１Ｂは、図３ないし図５に示すように、第１ダクト部５１１の端部に矩形状に形成されている。また、第２流路５１１２に位置する整流板１３から流出口５１１Ｂに向かう途中には、図４、５に示すように、直線状に形成された整流板１４が第１ダクト部５１１の内面に沿って配設されている。この整流板１４は、整流板１１と同様に、冷却空気Ａ２（図５参照）の第１ダクト部５１１の内面で生じる圧力損失を低減させて、冷却空気Ａ２（図５参照）の流量の減少を防止している。
また、第１ダクト部５１１の端部には、図３、４に示すように、整流板１５が天面側に向けて突出して形成されている。そして、整流板１４に案内された冷却空気Ａ１２は、整流板１５に当たって、流出口５１１Ｂから偏光変換素子４２３に上方向に沿って流出する（図３、６中の矢印Ｐ１）。
【００２９】
［第２ダクト部の構成］
第２ダクト部５１２は、図３に示すように、第１ダクト部５１１と同様に、一端側から背面側に延出して、当該延出方向と略直交する方向に曲げられて、背面側に沿って延出している。そして、第２ダクト部５１２のＬ字の外側部分は、第１ダクト部５１１のＬ字の内側部分と一体化して形成されている。
第２ダクト部５１２は、図４、５に示すように、整流板１６と、整流板１７とを備える。
【００３０】
整流板１６は、図４、５に示すように、第２ダクト部５１２の屈曲部分の上流側から長手方向に沿って延出するように、円弧状に形成され、第２ダクト部５１２の内面に沿って配設されている。そして、整流板１６は、第２冷却ファン５３から吐出される冷却空気Ａ２を冷却空気Ａ２１及び冷却空気Ａ２２に分流することで、冷却空気Ａ２２の第２ダクト部５１２の内面で生じる圧力損失を低減させて、冷却空気Ａ２２の流量及び流速の減少を防止している。
また、整流板１６は、第２ダクト部５１２内の流路を第１流路５１２１と、第２流路５１２２とに分岐している。この際、第１流路５１２１の内径は、第２流路５１２２の内径より小さく形成され、第１流路５１２１を辿る冷却空気Ａ２１の流量は、第２流路５１２２を辿る冷却空気Ａ２２の流量よりも少なくなるように設定されている。
【００３１】
整流板１７は、図４、５に示すように、第２ダクト部５１２の外面から延出して、第１ダクト部５１１の第１流路５１１１に向かうように円弧状に形成されている。整流板１７は、第１流路５１２１を辿る冷却空気Ａ２１の第２ダクト部５１２の内面で生じる圧力損失を低減させて、冷却空気Ａ２１の流量及び流速の減少を防止している。
そして、整流板１６と整流板１７により第１流路５１２１は、第１ダクト部５１１の第１流路５１１１と合流するように形成されている。すなわち、整流板１６と整流板１７は、本発明の合流部に相当する。
【００３２】
これらの構成により、第２ダクト部５１２の第１流路５１２１を辿る冷却空気Ａ２１が第１ダクト部５１１の第１流路５１１１へ合流するようになっている。この際、第１ダクト部５１１の第１流路５１１１を辿る冷却空気Ａ１１の流れ方向と、第２ダクト部５１２の第１流路５１２１を辿る冷却空気Ａ２１の流れ方向との交差する角度θは、図５に示すように、９０度未満となるように設定されている。
また、第２ダクト部５１２の第１流路５１２１を辿る冷却空気Ａ２１が第１ダクト部５１１の第１流路５１１１へ合流する箇所が、第１流路５１１１が背面に沿う方向に曲げられた後になるように形成されている。
【００３３】
第２ダクト部５１２の天面側には、図３に示すように、右側面側から、左右方向に沿って並設される赤側冷却用流出口５１２Ａと、左右方向に沿って並設される青側冷却用流出口５１２Ｂとが形成されている。
また、第２ダクト部５１２の第２流路５１２２には、第２ダクト部５１２の屈曲部分の上流側から長手方向に沿って延出するように、整流板１８が円弧状に形成されている。そして、整流板１８は、端部が赤側冷却用流出口５１２Ａに近接する位置まで延出して、第２ダクト部５１２の内面に沿って配設されている。整流板１８は、上述したように、冷却空気Ａ２２を第２ダクト部５１２の内面で生じる圧力損失を低減させて、冷却空気Ａ２２の流量及び流速の減少を防止している。
【００３４】
赤側冷却用流出口５１２Ａは、図３ないし図５に示すように、右側面側から第１流出口５１２Ａ１と、第２流出口５１２Ａ２と、第３流出口５１２Ａ３とを備えている。
第１〜第３流出口５１２Ａ１〜Ａ３の底面側における端縁部分は、図４に示すように、曲面となっており、冷却空気Ａ２の圧力損失を低減している。
第１流出口５１２Ａ１と第２流出口５１２Ａ２とは、図３ないし図５に示すように、後述する整流板１９で仕切られている。また、整流板１８の空気流れ方向の下流側には、整流板２０が第２ダクト部５１２の底面側に配設されている。
整流板１９は、図３、４に示すように、天面側及び底面側に突出するように配設されている。
整流板２０は、図３、４に示すように、底面側にのみ突出し、図６に示すように、整流板２０の底面側へ突出している長さが整流板１９と略同じ長さになるように形成されている。
【００３５】
第１流出口５１２Ａ１は、図４、５に示すように、矩形状に形成されて、第２流路５１２２に形成されている。この第１流出口５１２Ａ１は、図６に示すように、第２流路５１２２を辿る冷却空気Ａ２２を整流板１９に当てて、入射側偏光板４５２の光入射面に上方向に沿って流出させる（図３、６中の矢印Ｒ１）。
第２流出口５１２Ａ２は、図４、５に示すように、矩形状に形成されて、第２流路５１２２に形成されている。この第２流出口５１２Ａ２は、図６に示すように、第２流路５１２２を辿る冷却空気Ａ２２を整流板２０に当てて、赤色光側の液晶パネル４５１Ｒの光入射面に上方向に沿って流出させる（図３、６中の矢印Ｒ２）。
第３流出口５１２Ａ３は、図４、５に示すように、矩形状に形成されて、第２流路５１２２に形成されている。この第３流出口５１２Ａ３の天面側には、図３に示すように、矩形状の整流板２５が周縁部分に配設されている。そして、第３流出口５１２Ａ３は、図６に示すように、第２流路５１２２を辿る冷却空気Ａ２２をクロスダイクロイックプリズム４５４の光入射面と赤色光側の液晶パネル４５１Ｒの光射出面との間に流入させて、整流板２５によって、射出側偏光板４５３に上方向に沿って流出させる（図３、６中の矢印Ｒ３）。
【００３６】
青側冷却用流出口５１２Ｂは、図３ないし図５に示すように、左側面側から第１流出口５１２Ｂ１と、第２流出口５１２Ｂ２と、第３流出口５１２Ｂ３と、第４流出口５１２Ｂ４とを備えている。４つの流出口５１２Ｂ１〜５１２Ｂ４を備えることで、冷却空気Ａ２２が冷却対象に的確に導かれることとなる。
第１〜第４流出口５１３Ａ１〜Ａ４の底面側における端縁部分は、図４、５に示すように、曲面となっており、冷却空気Ａ３の圧力損失を低減している。
【００３７】
第１流出口５１２Ｂ１と第２流出口５１２Ｂ２とは、図３、６に示すように、天面側及び底面側に向けて突出する整流板２１で仕切られている。整流板２１は、図４、５に示すように、第２ダクト部５１２の径方向（空気流れ方向と直交する方向）を塞ぐように配設されている。
第２ダクト部５１２の端部には、図３、４に示すように、整流板２２が天面側に向けて突出して形成されている。
第３流出口５１２Ｂ３と第４流出口５１２Ｂ４とは、図３、６に示すように、天面側及び底面側に向けて突出する整流板２３で仕切られている。また、整流板２３の底面側に突出する長さは、図６に示すように、整流板２１の底面側に突出する長さよりも長くなっている。
第３流出口５１２Ｂ３の空気流れ方向の下流側には、図３、６に示すように、整流板２４が底面側に向けて突出して配設されている。整流板２４は、図４、５に示すように、整流板２１と同様に第２ダクト部５１２の径方向を塞ぐように配設されている。また、整流板２３の底面側に突出する長さは、図６に示すように、整流板２１の底面側に突出する長さよりも短くなっている。
【００３８】
第１流出口５１２Ｂ１は、図５に示すように、矩形状に形成されて、第１流路５１２１に形成されている。この第１流出口５１２Ｂ１は、図６に示すように、第２冷却ファン５３から吐出される冷却空気Ａ２２を整流板２２に当てて、入射側偏光板４５２に上方向に沿って流出させる（図３、６中の矢印Ｂ１）。
第２流出口５１２Ｂ２は、図５に示すように、矩形状に形成されて、第１流路５１２１に形成されている。この第２流出口５１２Ｂ２は、図６に示すように、第２冷却ファン５３から吐出される冷却空気Ａ２２を整流板２１に当てて、入射側偏光板４５２の光射出面、及び青色光側の液晶パネル４５１Ｂの光入射面に上方向に沿って流出させる（図３、６中の矢印Ｂ２）。
第３流出口５１２Ｂ３は、図５に示すように、矩形状に形成されて、第１流路５１２１に形成されている。この第３流出口５１２Ｂ３は、図６に示すように、第２冷却ファン５３から吐出される冷却空気Ａ２２を整流板２４に当てて、青色光側の液晶パネル４５１Ｂの光射出面に上方向に沿って流出させる（図３、６中の矢印Ｂ３）。
第４流出口５１２Ｂ４は、図５に示すように、矩形状に形成されて、第１流路５１２１に形成されている。この第４流出口５１２Ｂ４は、図６に示すように、第２冷却ファン５３から吐出される冷却空気Ａ２２を整流板２３に当てて、クロスダイクロイックプリズム４５４の光入射面と青色光側の液晶パネル４５１Ｂの光射出面との間に流入させて、射出側偏光板４５３に上方向に沿って流出させる（図３、６中の矢印Ｂ４）。
【００３９】
上述した本実施形態のプロジェクター１によれば、以下の効果がある。
本実施形態では、緑色光側の液晶パネル４５１Ｇに対して冷却空気Ａ１を吐出する第１ダクト部５１１と、赤、青色光側の液晶パネル４５１Ｒ，４５１Ｂに冷却空気Ａ２を吐出する第２ダクト部５１２とを備える。そして、第２ダクト部５１２から吐出される冷却空気Ａ２の一部は、第１流路５１２１を介して、第１ダクト部５１１へ吐出され、第１ダクト部５１１を辿る冷却空気Ａ１に合流する。これによれば、第２冷却ファン５３で吸入した冷却空気Ａ２の一部を有効利用することで、赤、青色光側の液晶パネル４５１Ｒ，４５１Ｂよりも高温化しやすい緑色光側の液晶パネル４５１Ｇを冷却する第１ダクト部５１１を辿る冷却空気Ａ１の流量を多くすることができる。すなわち、緑色光側の液晶パネル４５１Ｇを良好に冷却でき、冷却対象の冷却効率を向上できる。
また、合流する冷却空気Ａ１１，Ａ２１が９０度未満で交差するように設定されているので、圧力損失を低減しながら、冷却空気Ａ１１，Ａ２１を合流させることができる。従って、緑色光側の液晶パネル４５１Ｇを良好に冷却できる。
さらに、冷却空気Ａ１１，Ａ２１が合流する箇所は、第１流路５１１１が背面に沿う方向に曲げられた後になるように形成されているので、空気の圧力損失による流量の減少をより防止でき、冷却対象を良好に冷却できる。
【００４０】
［実施形態の変形］
なお、本発明は前述の実施形態に限定されるものではなく、本発明の目的を達成できる範囲での変形、改良等は本発明に含まれるものである。
前記実施形態では、第２ダクト部５１２から吐出される冷却空気Ａ２の一部を、第１流路５１２１を介して、第１ダクト部５１１を辿る冷却空気Ａ１に合流させていたが、第１ダクト部５１１から吐出される冷却空気の一部を、第２ダクト部５１２を辿る冷却空気に合流させてよい。冷却対照の温度に合わせて適宜冷却空気を分配することで冷却効率を向上させることができる。
【００４１】
前記実施形態では、光学ユニット４は平面視略Ｌ字形状を有した構成としたが、これに限らず、例えば、平面視略Ｕ字形状を有した構成を採用してもよい。
前記各実施形態では、透過型の液晶パネル４５１を採用していたが、これに限らず、反射型の液晶パネルを採用してもよく、あるいは、デジタルマイクロミラーデバイス（ＤＭＤ）を採用してもよい。なお、ＤＭＤは米国テキサスインスツルメンツ社の商標である。
【産業上の利用可能性】
【００４２】
本発明は、プレゼンテーションやホームシアターに用いられるプロジェクターに利用できる。
【符号の説明】
【００４３】
１…プロジェクター、５…冷却装置、５２…第１冷却ファン、５３…第２冷却ファン、５１１…第１ダクト部（第１ダクト）、５１２…第２ダクト部（第２ダクト）。
【図１】
2010262151.tif 000003
【図２】
2010262151.tif 000004
【図３】
2010262151.tif 000005
【図４】
2010262151.tif 000006
【図５】
2010262151.tif 000007
【図６】
2010262151.tif 000008